(57)【要約】    【課題】光ケーブルを傷めることなく、支柱間に架線でき、長距離の架設作業において、確実に吊線を掛止して架設すること。      【解決手段】  光ケーブルから分離した吊線１０を引き通しする溝孔２または係止片７からなる引通し部を所定間隔で３個以上配置してある支持部材１の個々の引通し部に前記吊線１０を引き通し、前記吊線１０の挿入側と脱出側が前記支持部材１の同一面側上に形成され、この支持部材１の中央に設けた着脱自在の掛止片３を電柱などの支柱５に配設してあるバンド６のフック６ａに掛止して前記光ケーブルの吊線１０の配線方向に平行に前記支持部材が前記支柱５に懸吊支持される光ケーブルの吊線支持方法の構成である。    【選択図】  図１
2007304514.tif 000002
【特許請求の範囲】
【請求項１】
吊線と数本の光ファイバを束ねた本線とを並列してなる屋外用光ケーブルを電柱などの支柱に引き掛け支持する光ケーブルの支持方法において、
屋外用光ケーブルの前記本線から分離した吊線を切断することなく、また、吊線吊部材の突出部に吊線を複数回巻回することなく、光ケーブル本線から分離した吊線を引き通しする溝孔または係止片からなる引通し部を所定間隔で３個以上配置してある支持部材の個々の引通し部に前記吊線を引き通し、前記吊線の挿入側と脱出側が前記支持部材の同一面側上に形成され、前記支持部材を前記支柱に配設してあるフックに掛止して前記光ケーブルの吊線の配線方向に平行に前記支持部材が前記支柱に懸吊支持されることを特徴とする光ケーブルの吊線支持方法。
【請求項２】
吊線と数本の光ファイバを束ねた本線とを並列してなる屋外用光ケーブルを電柱などの支柱に引き掛け支持する板体からなる光ケーブルの支持部材において、
この板体の片面側の中央付近に配設し、前記支柱に固着してあるフックに掛止する掛止片を着脱自在に取り付ける掛止部と、
前記光ケーブルから分離した前記吊線を引き通し支持する溝孔および／または係止片からなる複数個所の引通し部と、
を備える支持部材に、前記光ケーブルから分離した前記吊線を切断することなく、前記支持部材の突出部に複数回巻回することなく、前記吊線を前記引通し部に引き通し、この吊線の挿入側と脱出側とが同一面側となるようにして引き通すのみで前記支柱に配設したフックに前記掛止部の掛止片を懸吊して前記支柱に横向き状態で懸吊して光ケーブルを支持することを特徴とする光ケーブルの吊線支持部材。
【請求項３】
前記吊線を前記引通し部に引き通すに際して隣接する引通し部の前記吊線を引き通す方向が異なるように隣接する前記引通し部の前記溝孔または前記係止片の開口部が異なる方向に形成するように配置してあることを特徴とする請求項１また請求項２に記載の光ケーブルの支持部材。
【請求項４】
複数の前記引通し部を有する前記支持部材が板状の長方形で形成され、前記支柱のフックに掛止する掛止片を着脱自在に取り付ける前記掛止部が前記支持部材の片面側の中央付近で着脱自在に取り付けられ、前記吊線が前記支持部材の長手方向に直線状に引き通され、幅方向の中心線の近傍を通過することを特徴とする請求項２または請求項３に記載のいずれか１つの光ケーブルの吊線支持部材。
【請求項５】
前記吊線の前記引通し部が偶数箇所に形成され、前記吊線が引き通される前記引通し部の開口部を引き通す方向が交互になるように形成し、前記吊線の挿入方向と脱出方向が前記支持部材の同一面側になるように前記引通し部が形成されていることを特徴とする請求項２乃至請求項４に記載のいずれか１つの光ケーブルの吊線支持部材。
【請求項６】
前記支持部材がポリオレフィン系樹脂またはポリエチレンテレフタレート樹脂により一体成形で形成され、この支持部材の中央付近で前記掛止部が着脱自在に取り付けられ、この支持部材を廃棄焼却した際に有害ガスが発生しない環境汚染の恐れのないことを特徴とする請求項２乃至請求項５に記載のいずれか１つの光ケーブルの吊線支持部材。
【請求項７】
吊線と数本の光ファイバを束ねた本線とを並列してなる屋外用光ケーブルを電柱などの支柱に引き掛け支持する板体からなる光ケーブルの支持部材において、
この板体の片面側の中央付近に配設し、前記支柱に固着してあるフックに掛止する掛止片を着脱自在に取り付ける掛止部と、
前記光ケーブルから分離した前記吊線を引き通し支持する溝孔および／または係止片からなる複数個の引通し部と、
前記板体の両端の挿入部及び脱出部に前記引通し部から吊線が脱出するのを防止する押え片と、
を備えた支持部材に、前記光ケーブルから分離した前記吊線を切断することなく、吊線吊部材の突出部に複数回巻回することなく、吊線を前記引通し部に引き通し、板体の両端の押え片で押え、この吊線の挿入側と脱出側とが板体からなる支持部材の同一面側となるようにして引き通して前記支柱に配設したフックに前記支持部材の前記掛止部の掛止片を懸吊して前記支柱に横向き状態に光ケーブルに沿って吊線を懸吊して光ケーブルを支持することを特徴とする光ケーブルの吊線支持部材。
【発明の詳細な説明】
【技術分野】
【０００１】
本発明は、屋外光ケーブルから各家庭に配線する支線にドロップする光ケーブルの支柱に懸吊支持する光ケーブルの吊線支持部材に関する。
【背景技術】
【０００２】
各家庭に配線する光ファイバの複数本と補強線とを一体に樹脂被覆してなる本線に並列してメッセンジャーワイヤー（吊線）を配置して光ケーブルが一般的に形成されている。この光ケーブルを電柱などの支柱に懸吊支持して支柱間に架空線路を形成して配線してある。光ファイバの多数本有する幹線から個々の家庭に一本分岐するに際して分岐点に置いて吊線を光ケーブルから分離し、この吊線の末端を切断して電柱（支柱）に固着した引留具に巻回して固着し、一方家庭（分岐）側の吊線の先端を別の引留具に巻回して固着し、光ケーブルの本線を懸吊支持して架空線路を形成していた。例えば、実開平７−３０５３９号公報（特許文献１）などが知られている。
【０００３】
また、光ケーブルの分岐部において光ファイバケーブルを分岐する引留金具として長手方向の一端を係止部とした薄い金属シートより成る帯状の金具主体の長手方向に沿う両端に、挿通切欠を交互に配し、挿通切欠に光ファイバケーブルを係止する大径部を形成したものが特開２００３−１８９４４９号公報として知られている。
【０００４】
【特許文献１】実開平７−３０５３９号公報図１
【特許文献２】特開２００３−１８９４４９号公報図１
【発明の開示】
【発明が解決しようとする課題】
【０００５】
光ケーブルを電線などの支柱を通過させたり、幹線から光ファイバを分岐するときには特許文献１のように電柱などの支柱に固着した複数個の引留具に吊線を固定したり、電柱バンドに垂直部分を張り出し、この垂直部分に吊線を引っ掛けて光ケーブルが電柱を通過させていた。これでは２個以上の引留具を電柱など支柱に配置する必要がとなり、そのため架線作業手間が煩雑であった。また、この垂直部分を弓状に湾曲させて引っ掛けるのみであるために吊線が脱落しやすく、支障をきたしていた。更に、特許文献２に記載の光ファイバケーブルの引留金具は一枚の金属シートで形成され、電柱に設けたフックに掛ける係止部を備え、奇数個の挿通切欠を設けたものであり、光ファイバケーブルを挿通するために大径部を必要とし、光ファイバケーブルをドロップし易い形状にしてある。この場合、ケーブル芯線から垂直に引き出すために縦長に使用するものであるから、風などにより廻り適切なものでなかった。
【０００６】
本発明は、従来の光ケーブルの長距離のドロップ吊線を簡易に懸吊支持することができる安全確実な光ケーブルの吊線支持方法を提供するものである。
【０００７】
本発明の課題は，光ケーブルを傷めることなく、支柱間に架線でき、長距離の架設作業において、確実に吊線を掛止して架設することができる光ケーブルの吊線支持部材を提供することである。
【課題を解決するための手段】
【０００８】
本発明の前記課題は、以下の構成によって達成できる。
吊線と数本の光ファイバを束ねた本線とを並列してなる屋外用光ケーブルを電柱などの支柱に引き掛け支持する光ケーブルの支持方法において、
屋外用光ケーブルの前記本線から分離した吊線を切断することなく、また、吊線吊部材の突出部に吊線を複数回巻回することなく、光ケーブルから分離した吊線を引き通しする溝孔または係止片からなる引通し部を所定間隔で３個以上配置してある板体からなる支持部材の個々の引通し部に前記吊線を引き通し、前記吊線の挿入側と脱出側が前記支持部材の同一面側上に形成され、前記支持部材を前記支柱に配設してあるフックに掛止して前記光ケーブルの吊線の配線方向に平行に前記支持部材が前記支柱に懸吊支持される光ケーブルの吊線支持方法である。
【０００９】
本発明の前記課題は、吊線と数本の光ファイバを束ねた本線とを並列してなる屋外用光ケーブルを電柱などの支柱に引き掛け支持する板体からなる光ケーブルの支持部材において、この板体の片面側の中央付近に配設し、前記支柱に固着してあるフックに掛止する掛止片を着脱自在に取り付ける掛止部と、前記光ケーブルから分離した前記吊線を引き通し支持する溝孔および／または係止片からなる複数個の引通し部と、を備えた支持部材に、前記光ケーブルから分離した前記支持部材の突出部に複数回巻回することなく、前記吊線を前記引通し部に引き通し、この吊線の挿入側と脱出側とが同一面側となるようにして引き通すのみで前記支柱に配設したフックに前記支持部材の前記掛止部の掛止片を懸吊して前記支柱に横向き状態に懸吊して光ケーブルを支持する光ケーブルの吊線支持部材によって達成できる。
【００１０】
本発明の前記課題は、前期請求項２の光ケーブルの吊線支持部材において、前記吊線を前記引通し部に引き通すに際して隣接する引通し部の前記吊線を引き通す方向が異なるように隣接する前記引通し部の前記溝孔または前記係止片の開口部が異なる方向に形成するように配置してある光ケーブルの吊線支持部材によって達成できる。
【００１１】
本発明の前記課題は、請求項２に記載される光ケーブルの吊線支持部材において、複数の前記引通し部を有する板体が板状の長方形で形成され、前記支柱のフックに掛止する前記掛止部が前記支持部材の片面側の中央付近で着脱自在に取り付けられ、前記吊線が前記支持部材の長手方向に直線状に引き通され、幅方向の中心線の近傍を通過する光ケーブルの吊線支持部材の構成によって達成できる。
【００１２】
本発明の前記課題は請求項２乃至請求項４に記載の吊線支持部材において、前記吊線の前記引通し部が偶数箇所に形成され、前記吊線が引き通される前記引通し部の開口部を引き通す方向が交互になるように形成し、前記吊線の挿入方向と脱出方向が前記支持部材の同一面側になるように前記引通し部が形成されている光ケーブルの吊線支持部材によって達成できる。
【００１３】
本発明の前記課題は、請求項２乃至請求項５に記載される前記支持部材がポリオレフィン系樹脂またはポリエチレンテレフタレート樹脂により一体成形で形成され、この支持部材の中央付近で前記掛止部が着脱自在に取り付けられ、この支持部材を廃棄焼却した際に有害ガスが発生しない環境汚染の恐れのない光ケーブルの吊線支持部材の構成によって達成できる。
【００１４】
本発明の前記課題は、吊線と数本の光ファイバ束ねた本線とを並列してなる屋外用光ケーブルを電柱などの支柱に引き掛け支持する板体からなる光ケーブルの支持部材において、この板体の片面側の中央付近に配設し、前記支柱に固着してあるフックに掛止する掛止片を着脱自在に取り付ける掛止部と、前記光ケーブルから分離した前記吊線を引き通し支持する溝孔および／または係止片からなる複数個の引通し部と、前記板体の両端の挿入部及び脱出部に前記引通し部から吊線が脱出するのを防止する押え片と、を備えた支持部材に、前記光ケーブルから分離した前記吊線を切断することなく、吊線吊部材の突出部に複数回巻回することなく、吊線を前記引通し部に引き通し両端の押え片で押え、この吊線の挿入側と脱出側とが支持部材の同一面側となるようにして引き通して前記支柱に配設したフックに前記掛止部を懸吊して前記支柱に横向き状態に光ケーブルに沿って吊線を懸吊して光ケーブルを支持する光ケーブルの吊線支持部材の構成によって達成できる。
【発明の効果】
【００１５】
本発明の光ケーブルの支持方法は、支持部材の中央付近に掛止部が配置され、支持部材への挿入側と脱出側が同一面側にして支持されるから吊線に無駄な荷重がかからず、電柱などの支柱に安定して光ケーブルを支持されることができる。また、吊線の支持部材が吊線に平行に配置されるからこの支持部材が光ケーブルと平行になって掛止されることになり、光ケーブルに荷重がかかることがない。
【００１６】
また，吊線を支持部材に引き通す際に、支持部材に設けた溝孔や係止片において隣接する溝孔や係止片の開口部が異なる方向側に形成してあるから吊線を突出部に複数回巻回することなく、溝孔、係止片に引き通すのみで確実に係止することができ、しかも、この係止片などが偶数個に配置されているから支持部材に対する吊線の挿入方向と脱出方向が支持部材の同一面側にあるので安定して吊線を係止することが可能である。
【００１７】
本発明の光ケーブルの支持方法によると、支持部材の中央部分に支柱のフックに係止する掛止片を掛止部に着脱自在に配設してあるから吊線を引き通した後に支柱に簡易に取り付けられる。また、支持部材の幅方向の中央線に沿って吊線が配置されるので、支持部材が安定して吊線を固定することができる。
【００１８】
本発明の光ケーブルの支持部材が合成樹脂、特に、ポリオレフィン系樹脂またはポリエチレンテレフタレート樹脂で構成されているので軽量であり、吊線や光ケーブルの表面に傷をつける恐れがない。しかも、この支持部材を廃棄したときには塩素などを含有しないので環境汚染の懸念がない。
【発明を実施するための最良の形態】
【００１９】
以下，本発明に係わる光ケーブルの支持部材の１実施の形態について図面を参照して詳細に説明する。これらは本発明の支持方法を限定するものではない。
【００２０】
図１は本発明の光ケーブルの支持方法に使用する第１の実施形態の斜視図、図２は図１の支持部材の正面図、平面図及び側面図である。図３は図１の支持部材の使用態様図である。図４は本発明の支持部材を金属板で製造した第２の実施形態を示す斜視図である。図５、図６は本発明支持部材の第３の実施形態の斜視図。図７、図８は第４の実施形態の説明図、図９は第５の実施形態の説明図、図１０は第６の実施形態の説明図である。図１１及び図１２はそれぞれ第３及び第４の実施形態の使用状態を示す説明図である。
【００２１】
本発明に係わる光ケーブルの吊線支持部材について図面を参照して詳細に説明する。
図１において、合成樹脂や金属材料などで型造した板状の支持部材１の長手方向の両側面に吊線１０を挿入する開口部２ａを配置した引通し部である溝孔（係止片）２,２・・が穿ってある。この溝孔２の開口部２ａは両側に交互に異なる方向に開口している。この支持部材１の中央に掛止片３を着脱自在に取り付ける掛止部４を配置してあり、電柱などの支柱５に緊締したバンド６に設けたフック６ａに支持部材１の掛止部４に固着した掛止片３を引っ掛けて支柱５に取り付けられる（図３参照）。この掛止部４は支持部材１の中央に配設され、支持部材１の長手方向が光ケーブルに平行になるように支柱５に吊り下げられる。
【００２２】
図４は第２の実施形態の支持部材１で、薄板の金属によって型造りしたもので、構成は第１の実施形態と同じようにして支柱５に懸吊することができる。金属板で形成したときは耐久性に優れる。
図５に示す第３の実施形態は、支持部材１の同一面側の両端部に同じ方向に開口を配置した係止片７、７が配置され、中央部分には周縁に係止溝８ａを有する円板係止部８が一体的に形成してあり、この円板係止部８の中央の掛止部４の溝内に掛止片３を嵌合して固定し、一方向に張り出してある。この第３の使用状態は図１２に示すとおりである。
【００２３】
図７、図８に示す第４の実施形態の支持部材１は同一面側に突出させて形成した係止片７、７・・を交互に開口部７ａの開口方向が異なるように突出してある。このように形成してあるから、吊線１０を係止片７の開口部７ａから嵌入して交互に係止片７の開口部７ａに引っ掛ける。この支持部材１の挿入側端及び脱出側端には押え片９が突出してある。これにより係止片７,７に引き通した吊線１０の脱落が防止できる。この支持部材1の中央の掛止部４に溝が設けられ、この掛止部４の溝内に掛止片３ａが着脱自在に嵌着し、一方向‘（図面では上方へ）張り出してある。この使用状態は図１1に示される。
【００２４】
図９に示される第５の実施形態の支持部材１で薄い金属板で簡易に製造されたもので、図９（ａ）は型抜きで形成した支持部材の斜視図で、支持部材１の同一面側に係止片７,７を湾曲突出させて吊線１０を引っ掛けるように形成し、両端の挿入側及び脱出側に押え片９,９を配置してある。
図１０は第６の実施形態であるが、前記第５の実施形態の場合と同じようにして吊線１０が引き通し支持される。
【００２５】
本発明の光ケーブルの吊線支持部材は、前記各実施形態についてその使用状態は、図４、図１１及び図１２に示してあるように支持部材１の吊線１０を引通し部の溝孔２、２及び係止片７、７に引き通して支持部材１の片面側から挿入し、交互に配置した開口部２ａ、7ａに引き通し、押え片９によって押えて脱出側から出すようにしてある。このように互い違いに吊線１０を係止片７,７に引き通してある。
【図面の簡単な説明】
【００２６】
【図１】本発明の光ケーブルの支持方法に使用する第１の実施形態の斜視図である。
【図２】図１の吊線支持部材の正面図及び平面図である。
【図３】図１の吊線支持部材の使用態様図である。
【図４】本発明の吊線支持部材を金属板で製造した第２の実施形態を示す斜視図である。
【図５】本発明の吊線支持部材の第３の実施形態の斜視図である。
【図６】図５の第３の実施形態の説明図である。
【図７】本発明の吊線支持部材の第４の実施形態の説明図である。
【図８】図７の第４の実施形態の説明図である。
【図９】本発明の吊線支持部材の第５の実施形態の説明図である。
【図１０】本発明の吊線支持部材の第６の実施形態の説明図である。
【図１１】本発明の図７に示す第４の実施形態の使用状態を示す説明図である。
【図１２】本発明の図５に示す第３の実施形態の使用状態を示す説明図である。
【符号の説明】
【００２７】
１    支持部材
２    溝孔
２ａ    開口部
３    掛止片
４    掛止部
５    支柱
６    バンド
６ａ    フック
７    係止片
８    円板係止部
９    押え部
１０    吊線
【図１】
2007304514.tif 000003
【図２】
2007304514.tif 000004
【図３】
2007304514.tif 000005
【図４】
2007304514.tif 000006
【図５】
2007304514.tif 000007
【図６】
2007304514.tif 000008
【図７】
2007304514.tif 000009
【図８】
2007304514.tif 000010
【図９】
2007304514.tif 000011
【図１０】
2007304514.tif 000012
【図１１】
2007304514.tif 000013
【図１２】
2007304514.tif 000014